(57)【要約】【課題】錘と、エサ針と、掛け針を有する掛け針ユニットを取り付ける取付部と、道糸を取り付ける取付部とを有するフグ釣り用の仕掛け具であって、エサ針の根掛かりを防止することができる仕掛け具を提供する。【解決手段】仕掛け具５は、挿通穴が設けられた錘１０と、挿通穴に挿通された折返し形状のハリス２０と、ハリス２５と、固定具２７と、エサ針３０等を有し、エサ針３０は、環状部３２と、エサ針本体３４とを有し、環状部３２は、ハリス２０における挿通穴の上端から突出した部分に取り付けられ、これにより、エサ針３０は、錘１０よりも上側に取り付けられていて、さらに、エサ針３０の先端は、錘１０の上端と下端とを結ぶ仮想直線に近づく内向きに形成されている。【選択図】図１
0003235457.tif 000002
【実用新案登録請求の範囲】
【請求項１】
釣り用仕掛け具であって、
錘（１０）と、
錘の上端の表面から突出して設けられた突出部（３１）と、
錘の表面から突出して設けられた掛け針ユニット取付部（２３）と、
エサ針（３０、３０Ａ、３０Ｂ）とを有し、
突出部の先端には、道糸を取り付けるための道糸取付部（２５）が設けられ、
エサ針は、突出部における道糸取付部よりも基端側に設けられ、
エサ針の突出部側の領域である基端領域（３０−１、３０Ａ−１、３０Ｂ−１）は、エサ針の先端側にいくほど、錘の上端と錘の上端とは反対側の端部である下端とを結ぶ上下方向の仮想直線（Ｊ）から離れる外向きに形成され、エサ針における基端領域よりも先端側の領域である先端領域（３０−２、３４Ａｃ、３４Ｂｃ）は、エサ針の先端側にいくほど、該仮想直線に近づく内向きに形成されており、
掛け針（１０５ａ、１０５ｂ）と、掛け針をぶら下げた状態で支持する支持部（５５）とを有する掛け針ユニット（５０、５０’）が、支持部を掛け針ユニット取付部に取り付けることにより、掛け針ユニット取付部にぶら下げた状態となることを特徴とする釣り用仕掛け具。
【請求項２】
釣り用仕掛け具であって、
挿通穴（１２）が設けられた錘（１０）と、
挿通穴に挿通され、挿通穴の一方の端部である上端から突出するとともに挿通穴の他方の端部である下端から突出した挿通部（２９）と、
挿通部に取り付けられたエサ針（３０）とを有し、
挿通部は、
折返し部（２２）を介した折返し形状の線状部材により形成され、折返し部を介した一方の部分である第１部分（２０ａ）と折返し部を介した他方の部分である第２部分（２０ｂ）を有する第１線状部（２０）と、
第１部分の上端と第２部分の上端から連設された連設部（２８）とを有し、
第１線状部は、該折返し部を下側として挿通穴に挿通されていて、第１線状部における折返し部を含む下端領域（２３）が、挿通穴の下端から突出するとともに、第１部分と第２部分が挿通穴の上端から突出し、
該連設部には、道糸を取り付けるための道糸取付部（２５）が設けられ、
エサ針は、第１部分と第２部分が挿通する環状部（３２）と、環状部から連設されたエサ針本体で、環状部側とは反対側の端部である先端に釣り餌を取り付けるための針先（３５）を有するエサ針本体（３４）とを有し、環状部は、第１部分と第２部分における挿通穴の上端から突出した部分に設けられ、
エサ針本体の環状部側の領域である基端領域（３４ａ、３４Ａａ、３４Ａｂ、３４Ｂａ、３４Ｂｂ）は、エサ針本体の先端側にいくほど、錘の挿通穴の上端と下端とを結び挿通穴の中心線と一致する上下方向の仮想直線（Ｊ）から離れる外向きに形成され、エサ針本体における基端領域よりも先端側の領域である先端領域（３０−２、３４Ａｃ、３４Ｂｃ）は、エサ針本体の先端側にいくほど、該仮想直線に近づく内向きに形成されており、
掛け針（１０５ａ、１０５ｂ）と、掛け針をぶら下げた状態で支持する支持部（５５）とを有する掛け針ユニット（５０、５０’）が、該支持部を第１線状部における下端領域に取り付けることにより、該下端領域にぶら下げた状態となることを特徴とする釣り用仕掛け具。
【請求項３】
道糸取付部は、第２折返し部（２６）を介した折返し形状で、内側に道糸を通す隙間を有する線状部材からなる第２線状部（２５）により形成され、
連設部は、第１部分及び第２部分の上端と、第２線状部における第２折返し部と反対側の端部が対向した状態で、第１線状部と第２線状部を連結する連結部材（２７）を有することを特徴とする請求項２に記載の釣り用仕掛け具。
【請求項４】
釣り用仕掛けであって、
仕掛け具（５、５Ａ、５Ｂ、５’）と、仕掛け具に取り付けられた掛け針ユニット（５０、５０’）を有し、
仕掛け具は、
錘（１０）と、
錘の上端から突出して設けられた突出部（３１）と、
エサ針（３０、３０Ａ、３０Ｂ）とを有し、
突出部の先端には、道糸を取り付けるための道糸取付部（２５）が設けられ、
エサ針は、突出部における道糸取付部よりも基端側に設けられ、
掛け針ユニットは、掛け針（１０５ａ、１０５ｂ）と、掛け針をぶら下げた状態で支持する支持部（５５）とを有し、
エサ針の突出部側の領域である基端領域（３０−１、３０Ａ−１、３０Ｂ−１）は、エサ針の先端側にいくほど、錘の上端と錘の上端とは反対側の端部である下端とを結ぶ上下方向の仮想直線（Ｊ）から離れる外向きに形成され、エサ針における基端領域よりも先端側の領域である先端領域（３０−２、３４Ａｃ、３４Ｂｃ）は、エサ針の先端側にいくほど、該仮想直線に近づく内向きに形成されており、
支持部が、仕掛け具における突出部側とは反対側の位置である下端位置に取り付けられていることを特徴とする釣り用仕掛け。
【考案の詳細な説明】
【技術分野】
【０００１】
本考案は、フグ釣り用の仕掛け具に関するものであり、特に、エサ針を備えた仕掛け具に関するものである。
【背景技術】
【０００２】
従来より、フグ釣り用の仕掛けとしては、図９に示すものが存在している。図９に示す仕掛け２０１は、錘２１０と、錘２１０の下端に取り付けられたエサ針２２０と、錘２１０の下端に取り付けられた掛け針ユニット２４０を有している。図９の例では、２つの掛け針ユニット２４０が設けられている。
【０００３】
錘２１０の下端には、掛け針ユニット２４０を取り付けるための略Ｕ字状の取付部２１２が設けられ、上端には、道糸Ｍを取り付けるための略Ｕ字状の取付部２１４が設けられている。また、錘２１０の下端には、取付部２１２に隣接して、エサ針２２０が設けられている。つまり、エサ針２２０は、錘２１０の下端から下方に突出して形成されている。
【０００４】
また、掛け針ユニット２４０は、取付部２１２に取り付けられたハリス２４０と、ハリス２４０の下端に取り付けられた掛け針２５０とを有している。
【０００５】
また、特許文献１に記載の釣り用仕掛においては、貫通孔３を有する錘２と、釣り糸５を結び付けた鈎針６とから成り、鈎針６が錘２の下方側に位置した状態となるようにして釣り糸５を錘２の貫通孔３内に挿通させることによって、錘２に対して鈎針６が上下方向に移動可能な状態として取り付けるとともに、錘２に鈎針６の基部を挟持させ得る保持部７を形成し、該保持部７によって鈎針６を仮止め固定させ得るように構成したものである。なお、鈎針６はエサ針として機能し、鈎針６には、餌が取り付けられる。
【先行技術文献】
【特許文献】
【０００６】
【特許文献１】特開２００７−２５２２６３号公報
【考案の概要】
【考案が解決しようとする課題】
【０００７】
しかし、図９に示す仕掛けにおいては、エサ針２２０が錘２１０の下端よりも下方に突出して形成されているので、エサ針が根掛かりしやすいという問題があった。
【０００８】
また、特許文献１に記載の釣り用仕掛においても、鈎針６が錘２の下端よりも下方に突出して形成されているので、エサ針としての鈎針６が根掛かりしやすいという問題があった。
【０００９】
そこで、本考案が解決しようとする問題点は、錘と、エサ針を有し、掛け針を有する掛け針ユニットと、道糸が取り付けられるフグ釣り用の仕掛け具であって、エサ針の根掛かりを防止することができる仕掛け具を提供し、さらには、該仕掛け具を有する釣り用仕掛けを提供することを目的とする。
【課題を解決するための手段】
【００１０】
本考案は上記問題点を解決するために創作されたものであって、第１には、釣り用仕掛け具であって、錘（１０）と、錘の上端の表面から突出して設けられた突出部（３１）と、錘の表面から突出して設けられた掛け針ユニット取付部（２３）と、エサ針（３０、３０Ａ、３０Ｂ）とを有し、突出部の先端には、道糸を取り付けるための道糸取付部（２５）が設けられ、エサ針は、突出部における道糸取付部よりも基端側に設けられ、エサ針の突出部側の領域である基端領域（３０−１、３０Ａ−１、３０Ｂ−１）は、エサ針の先端側にいくほど、錘の上端と錘の上端とは反対側の端部である下端とを結ぶ上下方向の仮想直線（Ｊ）から離れる外向きに形成され、エサ針における基端領域よりも先端側の領域である先端領域（３０−２、３４Ａｃ、３４Ｂｃ）は、エサ針の先端側にいくほど、該仮想直線に近づく内向きに形成されており、掛け針（１０５ａ、１０５ｂ）と、掛け針をぶら下げた状態で支持する支持部（５５）とを有する掛け針ユニット（５０、５０’）が、支持部を掛け針ユニット取付部に取り付けることにより、掛け針ユニット取付部にぶら下げた状態となることを特徴とする。
【００１１】
第１の構成の釣り用仕掛け具においては、道糸取付部に道糸を連結し、エサ針に釣り餌を取り付けて、フグ釣りに使用する。
【００１２】
第１の構成の仕掛け具によれば、エサ針が、突出部における錘と道糸取付部の間の位置、つまり、錘の上側に設けられているので、エサ針が根掛かりするのを防止することができる。
【００１３】
また、エサ針は、先端領域が内向きに形成されているので、エサ針が水中における障害物に接するおそれを小さくでき、その点でも、根掛かりを防止することができる。
【００１４】
なお、上記第１の構成を以下の構成としてもよい。すなわち、「釣り用の仕掛け具であって、錘（１０）と、錘の上端から突出して設けられた突出部（３１）と、錘の下端から突出して設けられた掛け針ユニット取付部で、折返し形状で内側に隙間が形成された線状の部材により形成された掛け針ユニット取付部（２３）と、エサ針（３０、３０Ａ、３０Ｂ）とを有し、突出部の先端には、折返し形状で内側に道糸を通すための隙間を有する線状の部材により形成された道糸取付部（２５）が設けられ、エサ針は、突出部における道糸取付部よりも基端側に設けられ、エサ針の突出部側の領域である基端領域（３０−１、３０Ａ−１、３０Ｂ−１）は、エサ針の先端側にいくほど、錘の上端と錘の上端とは反対側の端部である下端とを結ぶ上下方向の仮想直線（Ｊ）から離れる外向きに形成され、エサ針における基端領域よりも先端側の領域である先端領域（３０−２、３４Ａｃ、３４Ｂｃ）は、エサ針の先端側にいくほど、該仮想直線に近づく内向きに形成されており、掛け針（１０５ａ、１０５ｂ）と、掛け針をぶら下げた状態で支持する支持部（５５）とを有する掛け針ユニット（５０、５０’）が、支持部を掛け針ユニット取付部に取り付けることにより、掛け針ユニット取付部にぶら下げた状態となることを特徴とする釣り用仕掛け具。」としてもよい。
【００１５】
また、第２には、釣り用仕掛け具であって、挿通穴（１２）が設けられた錘（１０）と、挿通穴に挿通され、挿通穴の一方の端部である上端から突出するとともに挿通穴の他方の端部である下端から突出した挿通部（２９）と、挿通部に取り付けられたエサ針（３０）とを有し、挿通部は、折返し部（２２）を介した折返し形状の線状部材により形成され、折返し部を介した一方の部分である第１部分（２０ａ）と折返し部を介した他方の部分である第２部分（２０ｂ）を有する第１線状部（２０）と、第１部分の上端と第２部分の上端から連設された連設部（２８）とを有し、第１線状部は、該折返し部を下側として挿通穴に挿通されていて、第１線状部における折返し部を含む下端領域（２３）が、挿通穴の下端から突出するとともに、第１部分と第２部分が挿通穴の上端から突出し、該連設部には、道糸を取り付けるための道糸取付部（２５）が設けられ、エサ針は、第１部分と第２部分が挿通する環状部（３２）と、環状部から連設されたエサ針本体で、環状部側とは反対側の端部である先端に釣り餌を取り付けるための針先（３５）を有するエサ針本体（３４）とを有し、環状部は、第１部分と第２部分における挿通穴の上端から突出した部分に設けられ、エサ針本体の環状部側の領域である基端領域（３４ａ、３４Ａａ、３４Ａｂ、３４Ｂａ、３４Ｂｂ）は、エサ針本体の先端側にいくほど、錘の挿通穴の上端と下端とを結び挿通穴の中心線と一致する上下方向の仮想直線（Ｊ）から離れる外向きに形成され、エサ針本体における基端領域よりも先端側の領域である先端領域（３０−２、３４Ａｃ、３４Ｂｃ）は、エサ針本体の先端側にいくほど、該仮想直線に近づく内向きに形成されており、掛け針（１０５ａ、１０５ｂ）と、掛け針をぶら下げた状態で支持する支持部（５５）とを有する掛け針ユニット（５０、５０’）が、該支持部を第１線状部における下端領域に取り付けることにより、該下端領域にぶら下げた状態となることを特徴とする。
【００１６】
第２の構成の釣り用仕掛け具においては、道糸取付部に道糸を連結し、エサ針に釣り餌を取り付けて、フグ釣りに使用する。
【００１７】
第２の構成の釣り用仕掛け具によれば、エサ針が、第１線状部における挿通穴の上端から突出した部分、つまり、錘の上側に設けられているので、エサ針が根掛かりするのを防止することができる。
【００１８】
また、エサ針は、先端領域が内向きに形成されているので、エサ針が水中における障害物に接するおそれを小さくでき、その点でも、根掛かりを防止することができる。
【００１９】
また、第３には、上記第２の構成において、道糸取付部は、第２折返し部（２６）を介した折返し形状で、内側に道糸を通す隙間を有する線状部材からなる第２線状部（２５）により形成され、連設部は、第１部分及び第２部分の上端と、第２線状部における第２折返し部と反対側の端部が対向した状態で、第１線状部と第２線状部を連結する連結部材（２７）を有することを特徴とする。
【００２０】
なお、上記第２又は第３の構成において、第１部分及び第２部分の環状部よりも上端側には、環状部が道糸取付部へ向けて移動するのを規制する規制部（４０）が設けられているものとしてもよい。
【００２１】
また、上記第１から第３までのいずれかの構成において、仕掛け具における道糸取付部側を上側とした場合に、エサ針の道糸取付部側とは反対側の端部である下端は、錘の下端よりも上側にあることを特徴とするものとしてもよい。
【００２２】
また、第４には、釣り用仕掛けであって、仕掛け具（５、５Ａ、５Ｂ、５’）と、仕掛け具に取り付けられた掛け針ユニット（５０、５０’）を有し、仕掛け具は、錘（１０）と、錘の上端から突出して設けられた突出部（３１）と、エサ針（３０、３０Ａ、３０Ｂ）とを有し、突出部の先端には、道糸を取り付けるための道糸取付部（２５）が設けられ、エサ針は、突出部における道糸取付部よりも基端側に設けられ、掛け針ユニットは、掛け針（１０５ａ、１０５ｂ）と、掛け針をぶら下げた状態で支持する支持部（５５）とを有し、エサ針の突出部側の領域である基端領域（３０−１、３０Ａ−１、３０Ｂ−１）は、エサ針の先端側にいくほど、錘の上端と錘の上端とは反対側の端部である下端とを結ぶ上下方向の仮想直線（Ｊ）から離れる外向きに形成され、エサ針における基端領域よりも先端側の領域である先端領域（３０−２、３４Ａｃ、３４Ｂｃ）は、エサ針の先端側にいくほど、該仮想直線に近づく内向きに形成されており、支持部が、仕掛け具における突出部側とは反対側の位置である下端位置に取り付けられていることを特徴とする。
【００２３】
第４の構成の釣り用仕掛けにおいては、道糸取付部に道糸を連結し、エサ針に釣り餌を取り付けて、フグ釣りに使用する。
【００２４】
第４の構成の釣り用仕掛けによれば、エサ針が、突出部における錘と道糸取付部の間の位置、つまり、錘の上側に設けられているので、エサ針が根掛かりするのを防止することができる。
【００２５】
また、エサ針は、先端領域が内向きに形成されているので、エサ針が水中における障害物に接するおそれを小さくでき、その点でも、根掛かりを防止することができる。
【考案の効果】
【００２６】
本考案に基づく釣り用仕掛け具及び釣り用仕掛けによれば、エサ針が、錘の上側に設けられているので、エサ針が根掛かりするのを防止することができる。
【図面の簡単な説明】
【００２７】
【図１】フグ釣り用仕掛けの正面図である。
【図２】図１の要部拡大図である。
【図３】図２の分解図である。
【図４】図１の要部拡大図である。
【図５】仕掛け具の変形例を示す正面図である。
【図６】仕掛け具の変形例を示す正面図である。
【図７】フグ釣り用仕掛けの変形例を示す正面図である。
【図８】図７の要部拡大図である。
【図９】フグ釣り用仕掛けの従来例を示す正面図である。
【考案を実施するための形態】
【００２８】
本考案においては、錘と、エサ針を有し、掛け針を有する掛け針ユニットと、道糸が取り付けられるフグ釣り用の仕掛け具であって、エサ針の根掛かりを防止することができる仕掛け具を提供し、さらには、該仕掛け具を有する釣り用仕掛けを提供することを目的とするものである。
【００２９】
本考案に基づく釣り用仕掛け１は、フグ釣り用の仕掛けであり、図１〜図４に示すように構成され、釣り用仕掛け１（以下単に「仕掛け１」とする）は、仕掛け具５と、仕掛け具５に着脱される掛け針ユニット５０を有している。
【００３０】
ここで、仕掛け具（釣り用仕掛け具）５は、錘１０と、錘１０に挿通されたハリス２０と、ハリス２０の上端側に固定具２７を介して連設されたハリス２５と、ハリス２０に取り付けられたエサ針３０と、ハリス２０に取り付けられ、エサ針３０と錘１０の間に設けられたビーズ３６と、ハリス２０に取り付けられ、エサ針３０のビーズ３６とは反対側に設けられた筒状部４０とを有している。
【００３１】
錘１０は、いわゆるナツメ型の中通し錘であり、上端から下端に向けて、上端と下端の中間位置まで径が徐々に大きくなるとともに、該中間位置から下端まで径が徐々に小さくなる外形を有し、上端から下端まで挿通された挿通穴１２が設けられている。挿通穴１２は、円柱状を呈し、円筒状の内側の周面を有している。なお、挿通穴１２は、円柱状でなくても、四角柱状や三角柱状でもよく、挿通穴１２が直線状（つまり、挿通穴１２の中心線が直線状）であればよい。錘１０は、金属製である。
【００３２】
また、ハリス（第１線状部）２０は、１本のハリス（線状部材（第１線状部材））により構成され、下端位置で折り返した二つ折りの状態で、錘１０の挿通穴１２に挿通され、ハリス２０の下端である折返し部（第１折返し部）２２が錘１０の挿通穴１２の下端から突出する長さに形成されている。つまり、筒状部４０がエサ針３０に接し、エサ針３０がビーズ３６に接し、ビーズ３６が錘１０の上端に接した状態で、ハリス２０の下端が挿通穴１２の下端から突出している。
【００３３】
ハリス２０の下端の折返し部２２を含むハリス２０の下端領域２３においては、線状部材であるハリスが折返し部２２を介した折返し形状とされて、第１ハリス部（第１部分）２０ａと第２ハリス部（第２部分）２０ｂの間に隙間が形成されたものであり、下端領域２３が挿通穴１２の下端から突出し、下端領域２３は、掛け針ユニット５０を取り付けるための掛け針ユニット取付部となる（つまり、掛け針ユニット取付部としての下端領域２３は、錘の表面から突出して設けられている）。ハリス２０は、折返し部２２を介して第１ハリス部２０ａと第２ハリス部２０ｂに区画される。
【００３４】
また、ハリス（第２線状部）２５は、１本のハリス（線状部材（第２線状部材））により構成され、上端位置で折り返した二つ折りの状態になっている。ハリス２５は、折返し部（第２折返し部）２６を介して第１ハリス部２５ａと第２ハリス部２５ｂに区画される。
【００３５】
そして、第１ハリス部２０ａ及び第２ハリス部２０ｂの上端部分と第１ハリス部２５ａ及び第２ハリス部２５ｂの下端部分においては、二つ折りにした２本のハリスが並列した状態で、金属製の筒状の固定具２７がカシメ固定されている。つまり、第１ハリス部２０ａ及び第２ハリス部２０ｂの上端と第１ハリス部２５ａ及び第２ハリス部２５ｂの下端が対向するように固定具２７に挿入した状態で、第１ハリス部２０ａ及び第２ハリス部２０ｂの上端部分と第１ハリス部２５ａ及び第２ハリス部２５ｂの下端部分に固定具２７をカシメることにより、ハリス２０とハリス２５が固定具２７を介して連結した状態となる。
【００３６】
また、ハリス２５の上端部分は、線状部材であるハリスを折返し形状として内側に道糸を通すための隙間が形成されたものである。つまり、ハリス２５は、折返し部２６を介して折返し形状となっていて、ハリス２５には、道糸が連結される。つまり、ハリス２５は、道糸を取り付けるための道糸取付部である。なお、固定具２７は、第１ハリス部２０ａ及び第２ハリス部２０ｂの上端と、ハリス２５における折返し部２６と反対側の端部が対向した状態で、ハリス２０とハリス２５を連結する連結部材である。
【００３７】
なお、上記の説明では、ハリス２０、２５を用いたが、ハリスの代わりに他の線状部材を用いてもよい。
【００３８】
また、エサ針３０は、ハリス２０が挿通する環状部３２と、環状部３２から連設されたエサ針本体３４とを有している。エサ針３０は、金属製である。環状部３２は、リング状を呈し、第１ハリス部２０ａ及び第２ハリス部２０ｂが挿通可能な穴部を有し、エサ針本体３４は、湾曲した線状部材により形成され、環状部３２を水平方向に配置した場合に、エサ針本体３４は、環状部３２から離れるに従い下方に向けてカーブし、下方に向けた曲がり方向と同じに曲がり方向で水平方向に向き、さらに、同じ曲がり方向で斜め上方になるようにカーブしている。エサ針本体３４の先端の針先３５は釣り餌を取り付けるために尖った形状であり、該針先３５には、エサ針本体３４に取り付けられた釣り餌の脱落を防止するためのカエシ３５ａが形成されている。つまり、エサ針３０は、下方に向けて曲がるとともに、内側（つまり、錘１０の側）に向けて曲がるように形成されている。
【００３９】
つまり、仕掛け具５の状態では、エサ針本体３４は、環状部３２から外側で、かつ、環状部３２から見た錘１０側である下方に向けて湾曲する湾曲部３４ａと、湾曲部３４ａの先端から連設され、錘１０側である内側に向けて湾曲する湾曲部３４ｂと、湾曲部３４ｂの先端から連設され、内側上方（具体的には、内側斜め上方）に向けて湾曲する湾曲部３４ｃとを有し、湾曲部３４ｃの先端には針先３５が設けられ、針先３５には、カエシ３５ａが形成されている。
【００４０】
以上のように、エサ針本体３４の基端側の部分（つまり、湾曲部３４ａ）は外側に向けて形成され、先端側の部分（つまり、湾曲部３４ｂと湾曲部３４ｃ）は内側に向けて形成されている。すなわち、環状部３２と湾曲部３４ａとで、エサ針３０の突出部３１（後述）側の領域である基端領域３０−１が構成されるとともに、湾曲部３４ａによりエサ針本体３４の環状部３２側の領域である基端領域が構成され、一方、湾曲部３４ｂと湾曲部３４ｃとで、基端領域よりも先端側の領域である先端領域３０−２が構成される。そして、基端領域は、エサ針３０の先端側にいくほど、錘１０の挿通穴１２の上端と下端とを結ぶ上下方向の仮想直線Ｊから離れる（つまり、仮想直線Ｊに対する距離が長くなる）、つまり、外向きに形成され、先端領域３０−２は、エサ針３０の先端側にいくほど、仮想直線Ｊに近づく（つまり、仮想直線Ｊに対する距離が短くなる）、つまり、内向きに形成されている。仮想直線Ｊは、挿通穴１２の上端と下端を結ぶ直線で、厳密には、挿通穴１２の中心線（挿通穴１２の横断面の中心を通る線）と一致している。なお、仮想直線Ｊは、錘１０の上端（つまり、挿通穴１２の上端位置（厳密には、上端の開口部の中心位置））と、錘１０の上端とは反対側の端部である下端（つまり、挿通穴１２の下端位置（厳密には、下端の開口部の中心位置））とを結ぶ上下方向の仮想線としてもよく、また、錘１０の表面における突出部３１の突出位置（つまり、錘１０の挿通穴１２の上端位置）と錘１０の表面における掛け針ユニット取付部（つまり、下端領域２３）の突出位置（つまり、錘１０の挿通穴１２の下端位置）とを結ぶ上下方向の仮想線としてもよい。
【００４１】
上記のように、エサ針３０は、外側下方に向けて曲がるとともに、内側に向けて曲がっていて、先端領域３０−２が内向きに形成されているので、エサ針３０の先端は錘１０の側面と対向し、その点で、エサ針３０が水中における障害物に接するおそれを小さくできる。
【００４２】
なお、仕掛け具５を上下方向に配置した状態（例えば、仕掛け具５をハリス２５の箇所で吊り下げた状態）におけるエサ針３０の上下方向の長さＬ１は、環状部３２の上面から錘１０の下端までの上下方向の長さＬ２よりも短く形成され、エサ針３０の下端３４Ｋは、錘１０の下端１０Ｋよりも上側にあるので、錘１０の下端が海底に接しても、エサ針３０の下端が海底に接することがない。
【００４３】
エサ針３０は、環状部３２に第１ハリス部２０ａと第２ハリス部２０ｂを挿通した状態で取り付けられている。
【００４４】
また、ビーズ３６は、略球状の外表面を有するとともに、二つ折りにしたハリス２０が挿通する挿通穴を有し、その外径（挿通穴の軸線方向と直角方向の外径）は、環状部３２の穴部の径よりも大きく、また、錘１０の挿通穴１２よりも大きく形成され、ビーズ３６は、挿通穴１２に入り込むことがなく、また、環状部３２の穴部を挿通することがない。このビーズ３６が設けられていることにより、エサ針３０は、ハリス２０を中心に回転しやすくなっている。
【００４５】
また、筒状部４０は、テーパ状の筒状部材であり、いわゆる蛍光ウキゴムにより形成されている。筒状部４０は、二つ折りにしたハリス２０が挿通した状態でハリス２０の取り付けられ、筒状部４０の挿通穴の径は、挿通穴の内側の面がハリス２０に密着する程度の大きさに形成されているので、筒状部４０は、ハリス２０に固定されている。
【００４６】
なお、エサ針３０は、ビーズ３６や筒状部４０に接着されておらず、また、ビーズ３６は、錘１０には接着されていない。
【００４７】
仕掛け具５は、以上のように構成され、ハリス２０における錘１０の上端から突出した部分と、ハリス２５と、固定具２７により、突出部３１が構成され、突出部３１は、錘１０の上端の表面から突出して設けられている。また、道糸取付部としてのハリス２５は、突出部３１の先端に設けられ、エサ針３０は、突出部３１におけるハリス２５（道糸取付部）よりも基端側に設けられている。
【００４８】
また、ハリス２５と固定具２７により、連設部２８（図３参照）が構成され、連設部２８は、第１ハリス部２０ａの上端部分と第２ハリス部２０ｂの上端部分から連設されている。なお、ハリス２５と固定具２７により、連設部２８が構成されているので、連設部２８には、道糸取付部が設けられているといえる。
【００４９】
また、ハリス２０とハリス２５と固定具２７により、挿通部２９（図３参照）が構成され、挿通部２９は、挿通穴の一方の端部である上端から突出するとともに他方の端部である下端から突出している。
【００５０】
また、掛け針ユニット５０は、図１、図４に示すように、支持部５５と、支持部５５にぶら下がった状態で支持された掛け針１０５ａ、１０５ｂとを有している。
【００５１】
ここで、支持部５５は、仕掛け具５における下端領域２３に連結される連結部６０と、二つ折りの状態のハリス７０と、ハリス止め８０ａと、ハリス止め８０ｂと、ハリス７０の上端の折返し部（折返し位置）のやや下方にハリス７０ａ及びハリス７０ｂに周設された筒状の固定具１００と、ハリス止め８０ａに結んで取り付けられたハリス１０２ａと、ハリス止め８０ｂに結んで取り付けられたハリス１０２ｂと、ハリス７０ａの折返し位置側に設けられた筒状部１０４ａと、ハリス７０ｂの折返し部側に設けられた筒状部１０４ｂとを有している。なお、ハリス（第１ハリス部）７０ａは、ハリス７０の折返し位置を介した一方の部分であり、ハリス７０ｂは、ハリス７０の折返し位置を介した他方の部分である。つまり、ハリス７０は、折返し部を介して、ハリス７０ａとハリス７０ｂとに区画されている。なお、ハリス止め８０ａは、ハリス７０ａの先端に筒状の固定具９０ａを介して設けられ、ハリス止め８０ｂは、ハリス７０ｂの先端に筒状の固定具９０ｂを介して設けられている。また、筒状部１０４ａ、１０４ｂは、いわゆる蛍光ウキゴムにより形成され、筒状部１０４ａ、１０４ｂの径は、筒状部１０４ａ、１０４ｂの挿通穴の内側の面がハリス７０に密着する程度の大きさに形成されているので、筒状部１０４ａはハリス７０ａの所定位置に固定され、筒状部１０４ｂはハリス７０ｂの所定位置に固定されている。
【００５２】
ここで、連結部６０は、図２に示すように、本体部６２と、掛止部６４と、基端部６６とを有し、本体部６２は、平板状部６２ａと、固定部６２ｂと、保持部６２ｃを有し、固定部６２ｂは、掛止部６４の端部を固定しており、また、保持部６２ｃは、掛止部６４の他方の端部を着脱して保持可能となっている。つまり、固定部６２ｂと保持部６２ｃはともに金属製の板状部材の端部を巻回させて形成したものであり、固定部６２ｂは、掛止部６４の端部に嵌合して固定しており、また、保持部６２ｃについては、その上側部分（つまり、掛止部６４が設けられている側の部分）において、保持部６２ｃの端部と平板状部６２ａとの間に所定の隙間を設けて、掛止部６４が着脱自在となっている。
【００５３】
掛止部６４は、線状部材を折曲した形状を呈し、金属等の弾性を有する部材により構成され、掛止部６４の先端側部分は、保持部６２ｃに保持されるように付勢され、該先端側部分を保持部６２ｃから離脱させて掛止部６４を開状態にするには、先端側部分を付勢方向とは反対方向に移動させるようにする。以上のように、掛止部６４は、保持部６２ｃに対して開閉できるようになっている。
【００５４】
また、基端部６６は、本体部６２に設けられ、ハリス７０を挿通することができるように略Ｕ字状に形成されている。具体的には、基端部６６の一方の端部は、固定部６２ｂに固定され、他方の端部は保持部６２ｃに固定されている。つまり、基端部６６には外側と連通する隙間は形成されておらず、基端部６６と本体部６２の下端によりループ状に形成されている。
【００５５】
連結部６０は、上記のように構成されているので、掛止部６４を開状態にして、仕掛け具５の折返し部２２に挿通した後に、掛止部６４を閉状態とすることにより、連結部６０が、ハリス２０の下端領域２３に取り付けられる。
【００５６】
なお、挿通穴１２の下端から突出した下端領域２３は、仕掛け具５の下端に位置するので、連結部６０は、仕掛け具５における突出部３１側とは反対側の位置である下端位置に取り付けられ、これにより、支持部５５は、仕掛け具５における突出部３１側とは反対側の位置である下端位置に取り付けられるといえる。
【００５７】
また、ハリス止め８０ａ、８０ｂは同一の構成であるので、ハリス止め８０ａを例にとって説明すると、ハリス止め８０ａは、１本の金属製の針金状部材を折り返して折曲又は湾曲することにより形成されたものであり、先端部８２と、開口形成部８４と、折返し部８６とを有している。
【００５８】
ここで、先端部８２は、直線状の棒状を呈する棒状部材であり、一対の先端部８２が設けられていて、各先端部８２は略平行に配設されている。なお、一対の先端部８２同士は互いに固着されてはいない。また、開口形成部８４は、各先端部８２から連設された部材を折曲又は湾曲させることにより形成され、この開口形成部８４には開口部８５が形成されている。また、折返し部８６は、１本の針金状部材を折り返した形状となっている。
【００５９】
ハリス７０ａの下端とハリス止め８０ａの先端部８２が対向するように筒状の固定具９０ａに挿入した状態で、固定具９０ａをカシメることにより、ハリス７０ａとハリス止め８０ａが固定具９０ａを介して連結した状態となる。同様の構成により、ハリス７０ｂとハリス止め８０ｂが固定具９０ｂを介して連結した状態となる。
【００６０】
また、ハリス止め８０ａの折返し部８６には、ハリス１０２ａが結び目を形成することにより取り付けられ、ハリス止め８０ｂの折返し部８６には、ハリス１０２ｂが結び目を形成することにより取り付けられている。
【００６１】
また、掛け針１０５ａ、１０５ｂは同一の構成であるので、掛け針１０５ａを例にとって説明すると、図４に示すように、掛け針１０５ａは、線状部材により形成された針体１１０と、線状部材により形成された針体１２０と、針体１１０と針体１２０とを一体に固定する固定部１３０とを有している。
【００６２】
針体１１０は、折返し部１１２と、針部１１４と、針部１１６とを有し、折返し部１１２と針部１１４と針部１１６とは同一平面に沿って形成され、針部１１４と針部１１６は相反する方向に伸びている。
【００６３】
同様に、針体１２０は、折返し部１２２と、針部１２４と、針部１２６とを有し、折返し部１２２と針部１２４と針部１２６とは同一平面に沿って形成され、針部１２４と針部１２６は相反する方向に伸びている。針体１２０は、針体１１０と同一の構成となっている。
【００６４】
掛け針１０５ａにおいては、折返し部１１２が折返し部１２２の内側に配置され、針体１１０と針体１２０が、平面視において、十文字形状（略十文字形状）となるように組み合わされている。
【００６５】
また、固定部１３０は、熱収縮する樹脂製のチューブ体１３２と、チューブ体１３２の内側に設けられた接着剤（図示せず）とを有し、接着剤は熱可塑性樹脂により形成され、折返し部１１２、１２２をチューブ体１３２に挿通し、チューブ体１３２の内側に接着剤が設けられた状態で加熱することにより、接着剤が融解後に固化するとともにチューブ体１３２が収縮して、固定部１３０が形成される。
【００６６】
なお、掛け針１０５ａは、ハリス１０２ａを折返し部１２２に結ぶことにより、ハリス１０２ａに取り付けられ、一方、掛け針１０５ｂは、ハリス１０２ｂを折返し部１２２に結ぶことにより、ハリス１０２ｂに取り付けられる。
【００６７】
上記構成の釣り用仕掛け１をフグ釣りに使用する場合には、ハリス２５に釣り竿に設けられた道糸を連結し、バカ貝（通称、アオヤギ）等の釣り餌をエサ針３０に取り付けて（エサ針本体３４の針先３５を釣り餌に刺してエサ針３０に取り付ける）、釣り用仕掛け１を海中に投下し、海底に釣り用仕掛け１が到達した後、リールを数回転巻き上げ、海底から仕掛けを少しだけ引き上げ、底取りを行う。
【００６８】
次に、釣り竿を上下動させたり、暫く静止させたり、これを繰り返して、海底近くにある仕掛けを時々しゃくり、対象魚のフグを誘い寄せる。フグがエサ針３０の餌を啄み、アタリを感知したら、釣り竿を立てつつ素早く短く引き上げ、フグに掛け針１０５ａ、１０５ｂを引っ掛けて、リールを巻き上げ、フグを釣り上げる。
【００６９】
上記構成の釣り用仕掛け１によれば、エサ針３０が、錘１０のハリス２５（つまり、道糸連結部）側（つまり、錘１０の上側）に設けられているので、エサ針３０が根掛かりするのを防止することができる。特に、エサ針３０の長さＬ１は、長さＬ２よりも短く形成されていて、エサ針３０の下端３４Ｋは、錘１０の下端１０Ｋよりも上側にあるので、錘１０の下端が海底に接しても、エサ針３０の下端が海底に接することがなく、より根掛かりを防止できる。
【００７０】
さらに、エサ針３０は、下方に向けて曲がるとともに、内側に向けて曲がっていて、エサ針３０の先端領域３０−２は錘１０の側面と対向した内向きに形成されているので、その点で、エサ針３０が水中における障害物に接するおそれを小さくでき、よって、根掛かりを防止することができる。
【００７１】
また、エサ針３０の先端（つまり、湾曲部３４ｃ）が、斜め上方を向いているので、エサ針３０に取り付けた釣り餌がエサ針３０から落下するのを防止することができる。
【００７２】
次に、仕掛け具５の変形例について説明すると、図５に示す仕掛け具（釣り用仕掛け具）５Ａは、仕掛け具５と略同様の構成であるが、エサ針の構成が異なる。
【００７３】
すなわち、仕掛け具５Ａのエサ針３０Ａは、環状部３２と、環状部３２から連設されたエサ針本体３４とを有し、環状部３２は、リング状を呈し、環状部３２には第１ハリス部２０ａ及び第２ハリス部２０ｂが挿通されている。
【００７４】
エサ針本体３４は、線状部材により形成されていて、環状部３２を水平方向に配置した場合に、エサ針本体３４は、環状部３２から水平方向に外側に向けて直線状に伸びた直線状部３４Ａａと、直線状部３４Ａａから連設され、外側下方に向けて湾曲する湾曲部３４Ａｂと、湾曲部３４Ａｂの先端から連設され、錘１０側である内側に向けて湾曲する湾曲部３４Ａｃとを有し、湾曲部３４Ａｃの先端には針先３５が設けられ、針先３５には、カエシ３５ａが形成されている。
【００７５】
以上のように、エサ針本体３４の基端側の部分（つまり、直線状部３４Ａａ及び湾曲部３４Ａｂ）は外側に向けて形成され、先端側の部分（つまり、湾曲部３４Ａｃ）は内側に向けて形成されている。すなわち、環状部３２と湾曲部３４Ａａと湾曲部３４Ａｂで、エサ針３０Ａの突出部３１側の領域である基端領域３０Ａ−１が構成されるとともに、湾曲部３４Ａａと湾曲部３４Ａｂによりエサ針本体３４の環状部３２側の領域である基端領域が構成され、一方、湾曲部３４Ａｃにより、基端領域よりも先端側の領域である先端領域が構成される。そして、基端領域は、エサ針３０Ａの先端側にいくほど、仮想直線Ｊから離れる（つまり、仮想直線Ｊに対する距離が長くなる）、つまり、外向きに形成され、先端領域は、エサ針３０Ａの先端側にいくほど、仮想直線Ｊに近づく（つまり、仮想直線Ｊに対する距離が短くなる）、つまり、内向きに形成されている。
【００７６】
上記のように、エサ針３０Ａは、下方に向けて曲がるとともに、内側に向けて曲がっていて、エサ針３０Ａの先端（つまり、湾曲部３４Ａｃ）は錘１０の側面と対向した内向きに形成されているので、その点で、エサ針３０Ａが水中における障害物に接するおそれを小さくでき、よって、根掛かりを防止することができる。
【００７７】
なお、仕掛け具５Ａを上下方向に配置した状態（例えば、仕掛け具５Ａをハリス２５の箇所で吊り下げた状態）におけるエサ針３０Ａの上下方向の長さＬ１は、環状部３２の上面から錘１０の下端までの上下方向の長さＬ２よりも短く形成されているので、錘１０の下端が海底に接しても、エサ針３０Ａの下端が海底に接することがない。
【００７８】
この仕掛け具５Ａにおけるエサ針３０Ａにおいても、エサ針３０Ａが、錘１０のハリス２５（つまり、道糸連結部）側に設けられているので、エサ針３０Ａが根掛かりするのを防止することができる。
【００７９】
特に、エサ針３０の長さＬ１は、長さＬ２よりも短く形成されているので、図５に示すように、エサ針３０Ａの下端３４Ｋは、錘１０の下端１０Ｋよりも上側にあり、錘１０の下端が海底に接しても、エサ針３０の下端が海底に接することがないので、より根掛かりを防止できる。
【００８０】
また、エサ針３０の場合と比べて、エサ針３０Ａの先端と錘１０との間の間隔が長いので、エサ針３０Ａに釣り餌を取り付けるのが容易である。ただし、エサ針３０Ａの先端が、横方向（水平方向）を向いているので、エサ針３０と比べて、釣り餌が落下するおそれがあるといえる。
【００８１】
次に、仕掛け具５の他の変形例を説明すると、図６に示す仕掛け具（釣り用仕掛け具）５Ｂは、仕掛け具５Ａと略同様の構成であるが、エサ針の構成が異なる。すなわち、仕掛け具５Ｂのエサ針３０Ｂは、仕掛け具５Ａのエサ針３０Ａと上下線対称に形成されている。
【００８２】
つまり、エサ針３０Ｂは、環状部３２と、環状部３２から連設されたエサ針本体３４とを有し、環状部３２は、リング状を呈し、環状部３２には第１ハリス部２０ａ及び第２ハリス部２０ｂが挿通されている。
【００８３】
エサ針本体３４は、線状部材により形成されていて、環状部３２を水平方向に配置した場合に、エサ針本体３４は、環状部３２から水平方向に直線状に伸びた直線状部３４Ｂａと、直線状部３４Ｂａから連設され、上方に向けて湾曲する湾曲部３４Ｂｂと、湾曲部３４Ｂｂの先端から連設され、ハリス２５側である内側に向けて湾曲する湾曲部３４Ｂｃとを有し、湾曲部３４Ｂｃの先端には針先３５が設けられ、針先３５には、カエシ３５ａが形成されている。つまり、直線状部３４Ｂａの先端から湾曲した部分（つまり、湾曲部３４Ｂｂ、３４Ｂｃ）は、直線状部３４Ｂａよりも上方に位置している。
【００８４】
以上のように、エサ針本体３４の基端側の部分（つまり、直線状部３４Ｂａ及び湾曲部３４Ｂｂ）は外側に向けて形成され、先端側の部分（つまり、湾曲部３４Ｂｃ）は内側に向けて形成されている。すなわち、環状部３２と湾曲部３４Ｂａと湾曲部３４Ｂｂで、エサ針３０Ｂの突出部３１側の領域である基端領域３０Ｂ−１が構成されるとともに、湾曲部３４Ｂａと湾曲部３４Ｂｂによりエサ針本体３４の環状部３２側の領域である基端領域が構成され、一方、湾曲部３４Ｂｃにより、基端領域よりも先端側の領域である先端領域が構成される。そして、基端領域は、エサ針３０Ｂの先端側にいくほど、仮想直線Ｊから離れる（つまり、仮想直線Ｊに対する距離が長くなる）、つまり、外向きに形成され、先端領域は、エサ針３０Ｂの先端側にいくほど、仮想直線Ｊに近づく（つまり、仮想直線Ｊに対する距離が短くなる）、つまり、内向きに形成されている。
【００８５】
上記のように、エサ針３０Ｂは、上方に向けて曲がるとともに、内側に向けて曲がっていて、エサ針３０Ｂの先端（つまり、湾曲部３４Ｂｃ）は内向きに形成されているので、その点で、エサ針３０Ｂが水中における障害物に接するおそれを小さくでき、よって、根掛かりを防止することができる。
【００８６】
また、この仕掛け具５Ｂにおけるエサ針３０Ｂにおいても、エサ針３０Ｂが、錘１０のハリス２５（つまり、道糸連結部）側に設けられているので、エサ針３０Ｂが根掛かりするのを防止することができる。
【００８７】
また、直線状部３４Ｂａの先端から湾曲した部分（つまり、湾曲部３４Ｂｂ、３４Ｂｃ）は、直線状部３４Ｂａよりも上方に位置し、仕掛け具５Ｂを上下方向に配置した状態（例えば、仕掛け具５Ｂをハリス２５の箇所で吊り下げた状態）では、エサ針３０Ｂの下端３４Ｋは、錘１０の下端１０Ｋよりも上側にあるので、その点でも、根掛かりを防止することができる。
【００８８】
また、エサ針３０、３０Ａの場合と比べて、エサ針３０Ｂの先端近くに錘１０が存在しないので、エサ針３０Ｂに釣り餌を取り付けるのが容易である。また、直線状部３４Ｂａの先端から湾曲した部分（つまり、湾曲部３４Ｂｂ、３４Ｂｃ）は、直線状部３４Ｂａよりも上方に位置しているので、エサ針３０Ａと比べて、釣り餌が落下するおそれが小さいといえる。
【００８９】
次に、仕掛け具５の他の変形例を説明すると、図７、図８に示す釣り用仕掛け１’は、
図１〜図４に示す釣り用仕掛け１と略同様の構成であるが、連結部の構成が異なる。
【００９０】
つまり、釣り用仕掛け１’は、仕掛け具（釣り用仕掛け具）５’と、掛け針ユニット５０’を有し、仕掛け具５’は仕掛け具５と略同様の構成であり、掛け針ユニット５０’は掛け針ユニット５０と略同様の構成であるが、掛け針ユニット５０’の支持部５５において、連結部６０の代わりに、連結部１６０が用いられており、また、仕掛け具５’においては、ビーズ３６のみならず、錘１０の下端にビーズ３７が設けられている。なお、ビーズ３７は、錘１０には接着されてはいない。
【００９１】
この連結部１６０は、１本の線状部材により形成された市販のスナップであり、支持部５５に、連結部６０が取り付けられていない場合に、図７、図８に示す市販のスナップにより連結部１６０を構成して、ハリス７０とハリス２０を連結することができる。
【００９２】
また、ビーズ３７には、ハリス２０を挿通する穴部が設けられ、ビーズ３７に挿通されたハリス２０の折返し部２２に連結部１６０を連結することにより、連結部１６０と錘１０の下端との間の摩擦を回避して、連結部１６０が滑らかに回転することができる。
【００９３】
釣り用仕掛け１’においては、連結部１６０とビーズ３７以外の構成は、図１〜図４に示す釣り用仕掛け１と同様の構成であるので、詳しい説明を省略する。
【００９４】
なお、仕掛け具５’の場合と同様に、仕掛け具５、５Ａ、５Ｂにおいても、錘１０の下端位置にビーズ３７を設けてもよく、また、仕掛け具５、５Ａ、５Ｂにおいて、連結部６０の代わりに連結部１６０を用いてもよい。
【符号の説明】
【００９５】
１  釣り用仕掛け
１’  釣り用仕掛け
５  仕掛け具
５Ａ  仕掛け具
５Ｂ  仕掛け具
５’  仕掛け具
１０  錘
１０Ｋ  下端
１２  挿通穴
２０  ハリス
２２  折返し部
２３  下端領域
２０ａ  第１ハリス部
２０ｂ  第２ハリス部
２５  ハリス
２５ａ  第１ハリス部
２５ｂ  第２ハリス部
２６  折返し部
２７  固定具
２８  連設部
２９  挿通部
３０  エサ針
３０−１  基端領域
３０−２  先端領域
３０Ａ  エサ針
３０Ｂ  エサ針
３１  突出部
３２  環状部
３４  エサ針本体
３４Ａａ  直線状部
３４Ａｂ  湾曲部
３４Ａｃ  湾曲部
３４Ｂａ  直線状部
３４Ｂｂ  湾曲部
３４Ｂｃ  湾曲部
３４Ｋ  下端
３５  針先
３５ａ  カエシ
３６  ビーズ
３７  ビーズ
４０  筒状部
５０  掛け針ユニット
５５  支持部
６０  連結部
７０  ハリス
７０ａ  ハリス
７０ｂ  ハリス
８０ａ  ハリス止め
８０ｂ  ハリス止め
９０ａ  固定具
９０ｂ  固定具
１００  固定具
１０２ａ  ハリス
１０２ｂ  ハリス
１０５ａ  掛け針
１０５ｂ  掛け針
１６０  連結部
Ｊ  仮想直線
【図１】
0003235457.tif 000003
【図２】
0003235457.tif 000004
【図３】
0003235457.tif 000005
【図４】
0003235457.tif 000006
【図５】
0003235457.tif 000007
【図６】
0003235457.tif 000008
【図７】
0003235457.tif 000009
【図８】
0003235457.tif 000010
【図９】
0003235457.tif 000011